(57)【要約】【課題】滅菌時ノズル部分が完全に滅菌でき、また滅菌後の乾燥も容易かつ確実に行え、使用時においても細菌に汚染され難いキャップおよびこれを備えた既充填薬液容器を提供すること。【解決手段】プレフィルドシリンジは、筒状体の先端側にノズルを有するシリンジ本体と、ノズルに被冠されるキャップとで構成されている。キャップは、キャップ本体とゴム膜とで構成されている。キャップ本体の先端中央部には、貫通孔が形成されている。この貫通孔は、先端側に位置しその内径が一定の大径部３１１と、基端側に位置し前記大径部３１１の内径より小さい内径の小径部３１３と、大径部３１１と小径部３１３との間に位置しその内径が基端方向に向かって漸減するようなテーパが施されたテーパ部３１２とで構成されている。【選択図】図２
2004321826.tif 000002
【特許請求の範囲】
【請求項１】
薬液を吐出するノズルを備え薬液が充填された薬液容器の前記ノズルに被冠され、前記ノズルの先端開口を液密に封止するキャップであって、
先端中央部に貫通孔を有し基端が開放端となっており、かつ基端側において隙間を有した状態で前記ノズルと係止する係止部を有するキャップ本体と、
前記貫通孔の基端開口を塞ぐように前記キャップ本体内に設置され、前記係止部が前記ノズルに係止した状態で前記ノズルの先端開口を液密に封止する封止部材とを備え、
前記貫通孔は、その内径が基端方向に向かって漸減するようなテーパが施されたテーパ部を有することを特徴とするキャップ。
【請求項２】
薬液を吐出するノズルを備え薬液が充填された薬液容器の前記ノズルに被冠され、前記ノズルの先端開口を液密に封止するキャップであって、
先端中央部に貫通孔を有し基端が開放端となっており、かつ基端側において隙間を有した状態で前記ノズルと係止する係止部を有するキャップ本体と、
前記貫通孔の基端開口を塞ぐように前記キャップ本体内に設置され、前記係止部が前記ノズルに係止した状態で前記ノズルの先端開口を液密に封止する封止部材とを備え、
前記貫通孔は、先端側に位置し、内径が一定の大径部、基端側に位置し、前記大径部の内径より小さい内径の小径部、および前記大径部と前記小径部との間に位置し、内径が基端方向に向かって漸減するようなテーパが施されたテーパ部で構成されていることを特徴とするキャップ。
【請求項３】
前記キャップ本体の先端面に、前記貫通孔の先端開口を囲むように、リング状のリブが突出形成されている請求項１または２に記載のキャップ。
【請求項４】
前記キャップ本体の外周面に、軸方向に伸びる溝が形成されている請求項１ないし３のいずれかに記載のキャップ。
【請求項５】
前記封止部材は、中空針を刺通可能な再シール性ゴム部材で構成されている請求項１ないし４のいずれかに記載のキャップ。
【請求項６】
前記テーパ部の内面は、前記封止部材に刺通される中空針を案内する機能を有する請求項１ないし５のいずれかに記載のキャップ。
【請求項７】
前記キャップ本体および前記封止部材は、透明性を有するものである請求項１ないし６のいずれかに記載のキャップ。
【請求項８】
内壁によって規定される空間に薬液を充填した薬液収納部と、該薬液収納部に収納された薬液を吐出するための開口を有するノズルと、薬液を吐出させる薬液吐出機構とを有する容器本体と、
請求項１ないし７のいずれかに記載のキャップとを備えてなることを特徴とする既充填薬液容器。
【発明の詳細な説明】
【技術分野】
【０００１】
本発明は、予め薬液が充填された容器（いわゆるプレフィルドシリンジ）およびそれに用いられるキャップに関する。
【背景技術】
【０００２】
患者に輸液を投与するのに先立って、輸液容器内に充填された輸液にビタミン剤、ミネラル類、抗生物質のような様々な薬剤を必要に応じて配合することが行われている。
【０００３】
また、救急医療の現場では注射器によって自律神経作用薬、昇圧薬などの複数併用および大量投与が行われている。
【０００４】
このような薬剤の配合や投与は、バイアル瓶から注射器によって薬液を吸引し、次いで輸液容器あるいは直接血管に薬液を注入することによって行われている。しかしながら、このような薬剤の配合及び投与は操作が煩雑であり、配合に要する時間、投与に要する時間が長くかかるという欠点がある。さらに上記の操作は、大気と接触した状態で行われるため、細菌汚染や異物混入のおそれがあった。
【０００５】
これらの問題を解決するものとして注射器に予め薬液を充填し先端のノズルにゴムキャップをしたいわゆるプレフィルドシリンジが提案された。しかし、従来のプレフィルドシリンジは、シリンジノズルがキャップによって密着する形で被せられている。従って、高圧蒸気滅菌時、ノズルとキャップの間に蒸気が侵入せずこの部分の滅菌が行えなかった。この問題を解決するために蒸気が侵入するようノズルとキャップの間に隙間を設けたものが提案されている。
【発明の開示】
【発明が解決しようとする課題】
【０００６】
しかし、蒸気が侵入するようノズルとキャップの間に隙間を設けた場合であっても、滅菌工程終了後に乾燥が容易に行われず、残った水分がカビ等の発生源になる可能性があるなどの問題があった。
【０００７】
また、包材を開封し取り出すと、器具は外部雰囲気に晒されるので、表面に露出した部分などは特に細菌に汚染され易くなる。
【０００８】
そこで、本発明の目的は、滅菌時ノズル部分が完全に滅菌でき、また滅菌後の乾燥も容易かつ確実に行え、使用時においても細菌に汚染され難いキャップおよびこれを備えた既充填薬液容器を提供することにある。
【課題を解決するための手段】
【０００９】
このような目的は、下記（１）〜（８）の本発明により達成される。
（１）  薬液を吐出するノズルを備え薬液が充填された薬液容器の前記ノズルに被冠され、前記ノズルの先端開口を液密に封止するキャップであって、
先端中央部に貫通孔を有し基端が開放端となっており、かつ基端側において隙間を有した状態で前記ノズルと係止する係止部を有するキャップ本体と、
前記貫通孔の基端開口を塞ぐように前記キャップ本体内に設置され、前記係止部が前記ノズルに係止した状態で前記ノズルの先端開口を液密に封止する封止部材とを備え、
前記貫通孔は、その内径が基端方向に向かって漸減するようなテーパが施されたテーパ部を有することを特徴とするキャップ。
【００１０】
（２）  薬液を吐出するノズルを備え薬液が充填された薬液容器の前記ノズルに被冠され、前記ノズルの先端開口を液密に封止するキャップであって、
先端中央部に貫通孔を有し基端が開放端となっており、かつ基端側において隙間を有した状態で前記ノズルと係止する係止部を有するキャップ本体と、
前記貫通孔の基端開口を塞ぐように前記キャップ本体内に設置され、前記係止部が前記ノズルに係止した状態で前記ノズルの先端開口を液密に封止する封止部材とを備え、
前記貫通孔は、先端側に位置し、内径が一定の大径部、基端側に位置し、前記大径部の内径より小さい内径の小径部、および前記大径部と前記小径部との間に位置し、内径が基端方向に向かって漸減するようなテーパが施されたテーパ部で構成されていることを特徴とするキャップ。
【００１１】
（３）  前記キャップ本体の先端面に、前記貫通孔の先端開口を囲むように、リング状のリブが突出形成されている上記（１）または（２）に記載のキャップ。
【００１２】
（４）  前記キャップ本体の外周面に、軸方向に伸びる溝が形成されている上記（１）ないし（３）のいずれかに記載のキャップ。
【００１３】
（５）  前記封止部材は、中空針を刺通可能な再シール性ゴム部材で構成されている上記（１）ないし（４）のいずれかに記載のキャップ。
【００１４】
（６）  前記テーパ部の内面は、前記封止部材に刺通される中空針を案内する機能を有する上記（１）ないし（５）のいずれかに記載のキャップ。
【００１５】
（７）  前記キャップ本体および前記封止部材は、透明性を有するものである上記（１）ないし（６）のいずれかに記載のキャップ。
【００１６】
（８）  内壁によって規定される空間に薬液を充填した薬液収納部と、該薬液収納部に収納された薬液を吐出するための開口を有するノズルと、薬液を吐出させる薬液吐出機構とを有する容器本体と、
上記（１）ないし（７）のいずれかに記載のキャップとを備えてなることを特徴とする既充填薬液容器。
【発明の効果】
【００１７】
本発明によれば、ノズルとキャップの間に空隙を有する構造であるので、ノズルの注射針装着部の無菌性が注射針の装着直前まで維持される。その結果、ノズルとキャップ間の水分を容易に除去でき、この部分のくもりが防止できるとともに、残存した水分によるカビや細菌の発生が防止される。
【００１８】
また、本発明は、針管に再シールチップを組み合わせた両頭針を有するホルダーと組み合わせることにより、同種のキャップを有する種類の違う薬剤の充填された既充填薬液容器を連続的に混注あるいは投与することができる。
【００１９】
また、本発明は、キャップの先端中央部に貫通孔を有し、該貫通孔の基端を封止部材（再シール部材）で封止するように構成されているため、ホルダーの両頭針（中空針）で穿刺される封止部材は、キャップの先端面より所定距離基端側に引っ込んだ位置に存在することとなり、そのため、滅菌後ホルダー装着直前までの間、先端部の穿刺部分の無菌性が保たれる。
【００２０】
そして、貫通孔がテーパ部を有する形状であるため、封止部材に中空針を穿刺する際、テーパ部のテーパ面により中空針を適正に案内、誘導することができる。
【発明を実施するための最良の形態】
【００２１】
まず、本発明の既充填薬液容器の実施形態について説明すると、本発明の既充填薬液容器は、薬液吐出機構によって吐出される薬液を収納した容器本体のノズルを封止するキャップをノズルを滅菌可能なようにノズルとの間に蒸気が通過可能な隙間を持たせたものにおいて生ずることのある、キャップ内表面のくもりやキャップとノズルの間に残存した水分による黴の発生のおそれをなくすことができる。すなわち、キャップの閉塞端側に容器本体内を液密に封止する封止部を有するとともにキャップ開放端側に隙間を有した状態でノズルと係止する係止部を有し、かつキャップ内部の閉塞端と開放端との中間部にはキャップ内面とノズル外表面とで形成される空間部を有するよう構成されており、滅菌後、キャップ内面とノズル外表面間に残存した水分が容易に蒸散することができる。その結果、キャップ部分のくもりや黴の発生のおそれが除去された。
【００２２】
薬液収納部は内部空間に用途に応じてビタミン剤、抗生物質、抗癌剤、等の薬液が充填されている。薬液収納部の材質はガラス、ポリプロピレン、ポリエチレン、ポリスチレン、各種エラストマー等の合成樹脂、あるいはステンレスやアルミニウム等の金属等が利用でき、後述する薬液吐出機構の構造に応じて適切な材料を選択することができるが、充填された薬液を目視できるように透明性のある材料であることが好ましい。また、既充填薬液容器の滅菌時あるいは保管中の雰囲気に含まれる酸素等のガスや水分によって変質しやすい薬液が充填されている場合にはそれぞれガス非透過性、水分非透過性の材質を選択することが好ましい。これらの例としてはガラスや、ステンレスやアルミニウム等の金属、合成樹脂では環状ポリオレフィン、ポリビニルアルコール等が好ましく、合成樹脂を酸化珪素や酸化アルミニウムあるいは上記したガス・水分非透過性樹脂で被覆したもの、さらに、必要に応じてこれらを層成分の一つとして多層構造としたものがある。また、既充填薬液容器は湿熱滅菌されるので、これに耐える耐熱性を有することが好ましい。
【００２３】
ノズルは薬液収納部内に充填された薬液を外部に吐出できる内部通路を有しており、通路の両端は外部と薬液収納部とにそれぞれ連通している。そしてノズルは薬液収納部と一体に同一の材料で形成されることが望ましい。
【００２４】
次に、薬液吐出機構について説明する。薬液吐出機構は、充填された薬液を薬液収納部からノズルを介して外部に吐出するためのものであり、薬液に対して圧を加えることにより吐出する構造をとることが好ましい。
【００２５】
具体的には、薬液収納部を合成樹脂等で柔軟に形成し、薬液収納部に外圧を加えて薬液を加圧することで吐出可能とするよう構成したものがある。薬液収納部を形成する材料としては、ポリ塩化ビニル、ポリプロピレン、ポリエチレン、各種エラストマー等の合成樹脂が挙げられ、やや硬い材料を採用する場合には薬液を加圧しやすいように薄くしたり、添加剤により軟質化することが好ましい。なお、選択した薬液収納部の形成材料ではノズルとしての硬度が不十分と判断される場合には別部材でノズルを形成し、薬剤収納部と一体化することもできる。
【００２６】
また、いわゆるシリンジ状に薬液収納部を構成することにより、既充填薬液容器に薬液吐出機構を付与することもできる。すなわち、硬質の薬液収納部を一端が開放し他端が閉塞した筒状体に形成し、開放している一端を液密に封止し筒状体内を軸方向に液密に摺動可能とするガスケットと、閉塞している他端側にノズルとが設けられていることにより薬液収納部の薬液を吐出可能とするよう構成されている。ガスケットには予めあるいは使用時直前にプランジャーを結合し、薬液の吐出を容易にすることが好ましい。予め結合してある場合は、ガスケットとプランジャーを嵌合によって結合したり、一体成形によって一体的に成形することができる。また、使用時直前に両者を結合する場合は、ガスケットとプランジャーに一対の雌雄ネジを設けたり、ラチェット機構を採用することができる。筒状体を形成する材料は、筒状体を硬質とすることができる材料であり、ガラス、ステンレスやアルミニウム等の金属、合成樹脂ではポリプロピレンや環状ポリオレフィン等が好ましい。ガスケットを形成する材料は、天然ゴムや合成ゴム、各種エラストマーが使用できる。また、プランジャーの形成材料は、薬液の吐出や吸引の操作に耐える硬質材料で形成され、ガラス、ステンレスやアルミニウム等の金属、ポリプロピレンやポリスチレン等の硬質合成樹脂等、各種硬質材料から適宜選択できる。
【００２７】
本発明のキャップは、容器本体に装着され、薬液収納部に充填された薬液が使用時までノズルから吐出しないよう封止するものである。このキャップは、閉塞端（先端）と開口端（基端開口）とを有する中空体で構成され、閉塞端側ではノズル先端開口を液密に封止している。
【００２８】
キャップを構成するキャップ本体は、ステンレスやアルミニウム等の金属、ポリエチレンやポリプロピレン等の合成樹脂等で形成することができ、ノズルの先端開口に当接した部分である封止部材を加硫天然ゴムや合成ゴム、各種エラストマー等の弾性体で形成すればより確実に封止することができ好ましい。また、封止部材の少なくとも中央部を針で刺通可能な合成樹脂やゴム等の材質、好ましくは再シール性を有するものや刺通した中空針にコアリングを生じさせにくい材質を有するもので形成すれば、キャップをノズルに取り付けたまま両頭針等の中空針を封止部材の中央部に直接刺通して薬液の投与等を行うようにすることもできる。その際、封止部材中央部がキャップ先端の外周縁より引き込んだ位置に設けられていれば、キャップまたはキャップ付きの既充填薬液容器を包装から取り出しても中空針の刺通部となる部分が汚染されないようにすることができる。引き込みの距離（＝貫通孔の深さ）は２ｍｍ以上とることが好ましい。
【００２９】
また、キャップ閉塞端内面に凸部を形成し、凸部がノズル内面に嵌入した状態で凸部とノズル内面との間で封止するようにしても良い。この場合、両者間の封止はテーパ嵌合で構成することも、凸部を弾性体としノズル内面に密着させることによってもできる。
【００３０】
キャップはさらに基端においてノズルと係止する係止部を有している。係止部は滅菌時に水蒸気がキャップとノズルの間に侵入するための隙間を有している。この隙間は例えば、係止部を一対の雄雌ネジで構成することにより生じるネジ間の隙間を利用することができる。
【００３１】
キャップ内部の閉塞端と開放端との中間部にはキャップ内面とノズル外表面とで形成される空間部が設けられている。この空間部により、滅菌のためにノズルとキャップの間に導入された水蒸気を滅菌後、容易に排出し乾燥させることができる。キャップ内面とノズル外表面との間隔は０．２〜１ｍｍが好ましい。
【００３２】
なお、キャップを形成する各部品はいずれも透明性を有することが液漏れ等の確認を容易にするために好ましい。また、ノズルや薬液収納部も同様の理由あるいは内容物の確認のために透明性を有することが好ましい。
【実施例】
【００３３】
以下図示したプレフィルドシリンジに基づいて本発明を詳細に説明する。
図１は、本発明の一実施例に係るプレフィルドシリンジの縦断面図であり、図２は、本発明のキャップの一実施例を示す縦断面図である。プレフィルドシリンジ１はシリンジ本体２とキャップ３とから構成されている。シリンジ本体２は薬液Ａが充填された筒状体２１、ノズル２２、ガスケット２３およびプランジャー２４を有している。筒状体２１は筒状のポリプロピレンや環状オレフィン等からなり、先端が閉塞し基端は開口している。該基端には一対のフランジ２１ａが対向して設けられている。閉塞した先端にはノズル２２が筒状体２１と一体に設けられ、充填された薬液Ａを該ノズル２２を介して吐出可能とする内部通路２２ａを有している。ノズル２２は基端側外側面にキャップ３の基端側と対をなして螺合部を構成する雄ネジ２２ｂを有している。また、雄ネジ２２ｂより先端側の外側面はルアーテーパとし、三方活栓等への接続を可能にしている。筒状体２１の基端開口よりガスケット２３が筒状体内面と液密を維持した状態で軸方向に摺動可能なように挿入され、薬液Ａの筒状体基端方向への移動を規制している。ガスケット２３はブチルゴムや加硫天然ゴム等で形成され、摺動性を向上させるために必要に応じてシリコーン等の潤滑剤を塗布したり、摺動部分に低摩擦係数を有するフッ素樹脂等の合成樹脂を配しても良い。ガスケット２３の基端にはポリプロピレン等の材質からなるプランジャー２４がネジ嵌合により固定されている。従って、使用前はガスケット２３から外しておけるので収納空間を小さくすることができる。
【００３４】
キャップ３はキャップ本体３１とゴム膜（封止部材：中空針を刺通可能な再シール性ゴム部材）３２とで構成されている。ノズル２２にはキャップ３が被冠され、ゴム膜３２がノズル２２の内部通路２２ａをその先端開口において封止し、充填された薬液Ａが筒状体先端方向への移動を規制している。
【００３５】
図２に示すように、キャップ本体３１は先端中央部に貫通孔３１ａを有しており、該貫通孔３１ａは注射針（中空針）が刺通しやすいようにテーパが施され、またキャップ本体３１の先端部を肉厚に形成することにより貫通孔両端間の距離が大きくとられ、後述するゴム膜３２が図示しない包材から開封され外部雰囲気に晒された際にも汚染されないようになっている。キャップ本体３１の基端部内面には先述のノズル２２の雄ネジ２２ｂと対をなす雌ネジ（係止部）３１ｂを有している。雄ネジ２２ｂと雌ネジ３１ｂとは螺合した状態で軸方向に気体流通可能な隙間Ｂを有しており、滅菌用水蒸気がキャップとノズルの間に侵入でき、この部分の滅菌が確実に行えるよう構成されている。ゴム膜３２は、貫通孔３１ａの基端開口を覆うようにキャップ本体３１の内部に固定され、キャップ３をノズル２２に螺合し係止した際にノズル２２の先端開口を液密に封止している。ゴム膜３２は加硫天然ゴム、合成ゴムあるいは各種エラストマー製で再シール性を有しており、厚さは０．１〜１ｍｍが好ましい。
【００３６】
次に、貫通孔３１ａの形状について図２を参照しつつ説明する。図２に示すように、貫通孔３１ａは、先端側に位置しその内径が一定の大径部３１１と、基端側に位置し前記大径部３１１の内径より小さい内径の小径部３１３と、大径部３１１と小径部３１３との間に位置しその内径が基端方向に向かって漸減するようなテーパが施されたテーパ部３１２とで構成されている。テーパ部３１２の内面（テーパ面）は、中空針をゴム膜３２に穿刺する際にその中空針を案内、誘導する機能を有する。
【００３７】
キャップ本体３１の先端面には、貫通孔３１ａの先端開口を囲むようにリング状のリブ３１ｅが突出形成されている。このリブ３１ｅを設けることにより、横方向からの貫通孔３１ａへの異物や細菌の侵入の阻止に役立つ。また、プレフィルドシリンジを包材から取り出した後、使用直前までキャップ本体３１の先端面にフィルム等が貼られた場合、これを剥がしやすいという効果もある。
【００３８】
キャップ本体３１の外周面には、軸方向に伸びる溝３１ｆが形成されている。この溝３１ｆの設置により、キャップ３を把持して回転操作する際等の滑り止め機能を発揮する。
【００３９】
キャップ３においては、ノズル２２の外側面（外周面）からキャップ３の先端内面と雌ネジ３１ｂとの間の内側面（内周面）３１ｃを離間するよう構成したことにより空間Ｃを形成してある。この空間Ｃによって、滅菌時にノズル−キャップ間に導入された水蒸気を滅菌後容易に排出し乾燥することが可能となる。
【００４０】
本実施例について、キャップとノズル間の滅菌後の乾燥状態について実験を行った。キャップ本体３１に厚さ０．２ｍｍのブチルゴム製のゴム膜３２を固定し、かつノズル２２とキャップ内面との間隔が０．５ｍｍであるポリプロピレン製のキャップ３を作成した。これを生理食塩水２０ｍｌを充填した環状ポリオレフィン製２０ｍｌ容量のシリンジのノズルに装着した。比較例としてキャップの代わりにノズル外面に密着したゴムキャップを同様の生理食塩水充填シリンジに装着した。実施例及び比較例各２５本について１０５℃の高圧蒸気滅菌またはスプレー滅菌を行った。この２種類の滅菌によりスプレー滅菌では蒸気の侵入の確認を、高圧蒸気滅菌では滅菌終了時の乾燥状態の確認を行い、結果をそれぞれ表１、表２に示した。本発明に係るプレフィルドシリンジは、キャップ−ノズル間の滅菌、乾燥ともに良好に行えることが分かった。
【００４１】
【表１】
2004321826.tif 000003
【００４２】
【表２】
2004321826.tif 000004
【００４３】
次に、本発明に係るプレフィルドシリンジの使用例について説明する。プレフィルドシリンジに充填された薬液を輸液バッグに混注したり、患者血管へ直接注射する際には、２通りの方法がある。ひとつは、キャップ３を外してノズル２２を露出させ、そこに三方活栓やチューブ等の雌ルアーコネクター、あるいは注射針のハブを接続し、これらの用途に供するものである。もうひとつは、キャップ３のゴム膜３２に中空針の内針を刺通し、内針とは反対側に設けられた外針またはコネクターを有するホルダーをキャップ３に接続するものである。図３はホルダー４の部品図（縦断面図）であり、ホルダー４はホルダー本体４１とマルチ針（両頭針）４２とからなっている。
【００４４】
ホルダー本体４１はプレフィルドシリンジの１のキャップ３を収納する収納部４１ａとマルチ針４２を固定するホルダー雌ネジ４１ｂとホルダー内周面にホルダー環状凸部４１ｃを有している。マルチ針４２は互いに連通する内部通路を有する中空針であるステンレスや合成樹脂製の内針４２ａおよび外針４２ｂを有し、両者の間にハブ４２ｃが設けられ、該ハブ４２ｃには先述のホルダー雌ネジ４１ｂと螺合する雄ネジ４２ｄが形成されている。また、内針４２ａを覆うように加硫天然ゴムや合成ゴムあるいは各種エラストマー製の再シール性を有するゴムチップ４２ｅが設けられている。従って、外針４２ｂを輸液バッグ等の混注口に穿刺したままにしても内針４２ａが露出せず、内針４２ａをプレフィルドシリンジ１のゴム膜３２に刺通しているときのみ内針４２ａがゴムチップ４２ｅから現れるので、複数本のプレフィルドシリンジを連続して注入することができる。また、血管への刺通時にはさらに外針４２ｂが刺通した血管からの血液の逆流出を防止できる。なお、ホルダー４のホルダー環状凸部４１ｃはキャップ３の外周面に設けられたキャップ環状凸部３１ｄと係合し、内針４２ａをプレフィルドシリンジのゴム膜３２に刺通したときにゴムチップ４２ｅの復元力によりホルダー４からプレフィルドシリンジが脱落するのを防止している。
【００４５】
使用する手順は、まずホルダー本体４１とマルチ針４２とが組み立てられたホルダー４の外針４２ｂを輸液容器等の混注口に穿刺する。次に本発明に係るプレフィルドシリンジ１のキャップ３の部分をホルダー４の収納部４１ａ内に挿入して収納し、両者に設けられた環状凸部３１ｄ、４１ｃを係合させ、ホルダー４にプレフィルドシリンジ１を装着する。このときホルダー４の内針４２ａがゴムチップ４２ｅを貫通し、キャップ３のゴム膜３２を刺通する。このときの状態を図４に示す。次に、プレフィルドシリンジ１のプランジャー２４の操作により充填された薬液を混注口より輸液容器等に注入する。注入が完了した後、プレフィルドシリンジ１をキャップ３ごとホルダー４から取り外し、複数の薬液を同一の輸液容器等に注入する場合には同様に薬液の充填された他のプレフィルドシリンジをホルダー４に順次装着して薬液を注入する。また、これらの薬液の混注操作中のゴムチップ４２ｅは、ホルダー４からプレフィルドシリンジが抜き取られるごとに元の形状に復元し、液の飛散や浮遊菌による汚染を防止している。
【００４６】
本実施例についてキャップ３の先端側に位置するゴム膜３２の汚染について実験を行った。上記実験と同様に作成し、ゴム膜３２をキャップ本体３１の先端面より２ｍｍ（＝貫通孔３１ａの深さ）の位置に着けたキャップ３を装着したプレフィルドシリンジのゴム膜３２に上記ホルダー４の内針４２ａを刺通した。内針４２ａがゴムチップ４２ｅおよびゴム膜３２を貫通した状態で、プレフィルドシリンジのプランジャー２４を押し込み、プレフィルドシリンジ内の薬液を吐出する操作について、従来のシリンジ（比較例）を使用した混注操作との微生物汚染の点より比較を行った。比較方法は、実施例のキャップ先端及び比較例のシリンジノズル先端へ強制的に微生物を付着させ、ホルダー又は注射針を使用して混注操作を行い、薬液への菌の侵入を比較した。具体的には、保存してあるStaphylococcus Epidermidis（ＡＴＣＣ株番号：No.14990株）をＴＳＡ培地上に画線しこれを３７℃、２４時間培養した後、菌をコンラージ棒で均一の厚さになるように画線したものを用意した。次に実施例では菌繁殖培地に垂直にキャップの先端を押しつけ、比較例ではノズル先端を同様にして押しつけた後、それぞれ上述の混注操作を行い、薬液内への混入菌数を測定した。結果を表３に示す。本発明に係るプレフィルドシリンジはキャップ先端面より２ｍｍの位置にゴム膜を配し封止部材としたため、先端が露出する比較例に比べて汚染がないことが確認された。
【００４７】
【表３】
2004321826.tif 000005
【図面の簡単な説明】
【００４８】
【図１】本発明に係るプレフィルドシリンジの縦断面図である。
【図２】本発明に係るキャップの縦断面図である。
【図３】本発明に係るプレフィルドシリンジに装着され使用されるホルダーの縦断面図である。
【図４】本発明に係るプレフィルドシリンジの使用状態を示す説明図である。
【符号の説明】
【００４９】
１          プレフィルドシリンジ（既充填薬液容器）
２          シリンジ本体
２１        筒状体
２１ａ      フランジ
２２        ノズル
２２ａ      内部通路
２２ｂ      雄ネジ
２３        ガスケット
２４        プランジャー
３          キャップ
３１        キャップ本体
３１ａ      貫通孔
３１１      大径部
３１２      テーパ部
３１３      小径部
３１ｂ      雌ネジ
３１ｃ      内側面
３１ｄ      キャップ環状凸部
３１ｅ      リブ
３１ｆ      溝
３２        ゴム膜
Ａ          薬液
Ｂ          隙間
Ｃ          空間（空間部）
４          ホルダー
４１        ホルダー本体
４１ａ      収納部
４１ｂ      雌ネジ
４１ｃ      ホルダー環状凸部
４２        マルチ針
４２ａ      内針
４２ｂ      外針
４２ｃ      ハブ
４２ｄ      雄ネジ
４２ｅ      ゴムチップ
【図１】
2004321826.tif 000006
【図２】
2004321826.tif 000007
【図３】
2004321826.tif 000008
【図４】
2004321826.tif 000009